【手続補正書】
【提出日】平成17年4月27日(2005.4.27)
【手続補正１】
【補正対象書類名】明細書
【補正対象項目名】発明の名称
【補正方法】変更
【補正の内容】
【発明の名称】液晶パネル及びその製造方法
【手続補正２】
【補正対象書類名】明細書
【補正対象項目名】特許請求の範囲
【補正方法】変更
【補正の内容】
【特許請求の範囲】
【請求項１】
第１電極を有する第１基板と第２電極を有する第２基板の間に液晶を封止した構成を有する液晶パネルにおいて、
狭い電極幅と広い電極幅を有する少なくとも２種類の電極が前記液晶パネルに信号を入力する第１電極接続部として前記第１基板に配設されており広い電極幅を有する前記第１電極接続部の第１基板端辺側の端には、幅を分割する方向に少なくとも１つの電極欠部が配設されていることを特徴とする液晶パネル。
【請求項２】
第１電極を有する第１基板と第２電極を有する第２基板の間に液晶を封止した構成を有する液晶パネルにおいて、
狭い電極幅と少なくとも前記狭い電極の２本にまたがる幅を有する広い電極幅との少なくとも２種類の電極が前記液晶パネルに信号を入力する第１電極接続部として前記第１基板に配設されており広い電極幅を有する前記第１電極接続部の第１基板端辺側の端には、幅を分割する方向に少なくとも１つの電極欠部が配設されていることを特徴とする液晶パネル。
【請求項３】
前記第１接続電極部の電極の端とこの電極の端に隣り合う前記第１基板の端との間に、狭い電極幅とほぼ同じ電極幅を有し、且つ前記第１接続電極部の電極から独立した電極が配設されたことを特徴とする請求項１または２に記載の液晶パネル。
【請求項４】
前記欠部に隣り合って残された前記第１電極接続部の電極幅は、狭い電極幅を有する前記第１電極接続部の電極幅とほぼ同じであることを特徴とする請求項３に記載の液晶パネル。
【請求項５】
第１大型基板には複数の液晶パネルを得るための第１電極が形成されており第２大型基
板には複数の液晶パネルを得るための少なくとも第２電極が形成されており第１大型基板と第２大型基板を互いの電極が対向する如く間隙を設けて配設しこの間隙に液晶封止するための複数の枠状のシールを配設して張り合わされ一体大型基板を形成したものを切断工程により切断することにより得られる液晶パネルの製造方法において、
第１大型基板上の隣り合う液晶パネルに対応する複数の第１電極が電極端を互いに対向して配設されておりこの対向する電極は狭い電極幅と広い電極幅を有する少なくとも２種類の電極よりなり前記広い電極幅を有する電極の端部にはこの端部から液晶に向けて少なくとも１つの電極の欠部が配設されており前記切断工程の前記切断が前記電極欠部からこの欠部を有する電極と前記対向する前記隣の液晶パネルの電極の端部との間で成されることを特徴とする液晶パネルの製造方法。
【手続補正３】
【補正対象書類名】明細書
【補正対象項目名】００１２
【補正方法】変更
【補正の内容】
【００１２】
【課題を解決するための手段】
上記目的を達成するために用いる本発明の第１の手段は、第１電極を有する第１基板と第２電極を有する第２基板の間に液晶を封止した構成を有する液晶パネルにおいて、狭い電極幅と広い電極幅を有する少なくとも２種類の電極が前記液晶パネルに信号を入力する第１電極接続部として前記第１基板に配設されており広い電極幅を有する前記第１電極接続部の第１基板端辺側の端には、幅を分割する方向に少なくとも１つの電極欠部が配設されていることを特徴とする。
上記目的を達成するために用いる本発明の第２の手段は、第１電極を有する第１基板と第２電極を有する第２基板の間に液晶を封止した構成を有する液晶パネルにおいて、狭い電極幅と少なくとも前記狭い電極の２本にまたがる幅を有する広い電極幅との少なくとも２種類の電極が前記液晶パネルに信号を入力する第１電極接続部として前記第１基板に配設されており広い電極幅を有する前記第１電極接続部の第１基板端辺側の端には、幅を分割する方向に少なくとも１つの電極欠部が配設されていることを特徴とする。
上記目的を達成するために用いる本発明の第３の手段は、本発明の第１または第２の手段において前記第１接続電極部の電極の端とこの電極の端に隣り合う前記第１基板の端との間に、狭い電極幅とほぼ同じ電極幅を有し、且つ前記第１接続電極部の電極から独立した電極が配設されたことを特徴とする。
上記目的を達成するために用いる本発明の第４の手段は、本発明の第３の手段において前記欠部に隣り合って残された前記第１電極接続部の電極幅は、狭い電極幅を有する前記第１電極接続部の電極幅とほぼ同じであることを特徴とする。
上記目的を達成するために用いる本発明の第５の手段は、第１大型基板には複数の液晶パネルを得るための第１電極が形成されており第２大型基板には複数の液晶パネルを得るための少なくとも第２電極が形成されており第１大型基板と第２大型基板を互いの電極が対向する如く間隙を設けて配設しこの間隙に液晶封止するための複数の枠状のシールを配設して張り合わされ一体大型基板を形成したものを切断工程により切断することにより得られる液晶パネルの製造方法において、第１大型基板上の隣り合う液晶パネルに対応する複数の第１電極が電極端を互いに対向して配設されておりこの対向する電極は狭い電極幅と広い電極幅を有する少なくとも２種類の電極よりなり前記広い電極幅を有する電極の端部にはこの端部から液晶に向けて少なくとも１つの電極の欠部が配設されており前記切断工程の前記切断が前記電極欠部からこの欠部を有する電極と前記対向する前記隣の液晶パネルの電極の端部との間で成されることを特徴とする液晶パネルの製造方法である。
【手続補正４】
【補正対象書類名】明細書
【補正対象項目名】００２４
【補正方法】変更
【補正の内容】
【００２４】
上記説明ではＣＯＧの図を用いて説明したが、本発明は液晶表示パネルの電極接続部とＦＰＣ或いは基板との接続に関する技術であり、接続される基板がＴＡＢ、ＴＣＰ、ＦＰＣ、その他の基板を用いても本発明は適用でき、下記した効果が得られる。
一方、本発明の液晶表示パネルの電極接続構造は、第１大型基板には複数の単個の液晶表示パネルを得るための少なくとも第１電極パターンが形成されており第２大型基板には複数の単個の液晶表示パネルを得るための少なくとも第２電極パターンが形成されており第１大型基板と第２大型基板を電極が対向する如く間隙を設けて配設しまた液晶封止するためのシールを有して張り合わされ一体大型基板を形成すると共に単個の液晶表示パネルを構成する第１液晶表示パネル部と第２液晶表示パネル部を少なくともかつ前記第１液晶表示パネル部と前記第２液晶表示パネル部が隣接されて前記一体大型基板に形成されている構成を成しており、前記第１液晶表示パネル部用の入出力電極配線である第１電極接続部と前記第１電極接続部に隣接する前記第２液晶表示パネル部の入出力配線である第２電極接続部の間には隙間を有しており前記一体大型基板を単個の液晶パネルに切断するための切断線を間隙の略中央部に設定して前記一体大型基板を単個の液晶表示パネルに切断する多数個取り液晶パネルの電極接続構造であり、前記第１電極接続部または前記第２電極接続部は少なくとも１種類以上の電極パターン幅を有した電極で構成されており、また隣接する前記第２電極接続部または前記第１電極接続部には前記隣接する少なくとも２本の電極に渡る電極パターン幅を少なくとも１箇所以上有している電極接続構造に於いて、電極接続部の渡る電極幅を電極本数ｎ（整数）本として少なくとも欠部をｎ−１箇所配設したことをも特徴とする。